(57)【要約】【課題】既存のキャビネットに簡単に後付けすることができる簡易遮蔽装置をより安価に提供する。【解決手段】キャビネット本体１０の前面開口部１０ａに沿って側板１１，１１にガイドレール３０，３０を取り付け、遮蔽シート４０の上端に取り付けられたハンガーロッド４１をガイドレール３０，３０の上端に設けられた係止溝３２に引っ掛け、遮蔽シート４０の下端をロック手段５０でロックして、キャビネット本体１０の前面開口部１０ａを覆い隠す。【選択図】図１
2008150847.tif 000002
【特許請求の範囲】
【請求項１】
左右一対の側板と、上記各側板の上端側に架け渡される天板と、上記各側板の下端側に架け渡される底板とを有するキャビネットの前面開口部を覆い隠して、収納物の取り出しを規制する簡易遮蔽装置において、
上記各側板に取り付けられ、上記前面開口部に沿ってガイド溝を形成する一対のガイドレールと、上記前面開口部とほぼ同じ大きさのシート体からなり、上記前面開口部の全面を覆い隠して、上記収納物を外部から遮蔽する遮蔽シートとを含み、上記遮蔽シートには、上記各ガイドレールの上端間で上記遮蔽シートの上端を吊り持ちするハンガー手段と、上記底板との間で上記遮蔽シートの下端の移動を規制するロック手段とが設けられていることを特徴とする簡易遮蔽装置。
【請求項２】
上記ハンガー手段は、上記ガイドレール間のレール間距離よりも長い長さを有し、上記遮蔽シートの上端に一体的に取り付けられたハンガーロッドからなり、上記各ガイドレールの上端には、上記ハンガーロッドの端部が係止される係止部が設けられていることを特徴とする請求項１に記載の簡易遮蔽装置。
【請求項３】
上記係止部は、上記各ガイドレールの上端から下側に向かって切り欠かれた係止溝からなることを特徴とする請求項２に記載の簡易遮蔽装置。
【請求項４】
上記遮蔽シートには、上記遮蔽シートを補強するための補強ロッドが上記ハンガーロッドに沿って平行に設けられており、上記補強ロッドは、その両端が上記ガイド溝内に摺動可能に収納されていることを特徴とする請求項１ないし３のいずれか１項に記載の簡易遮蔽装置。
【請求項５】
上記キャビネットは、内部が複数枚の棚板によって間仕切りされており、上記補強ロッドは、間仕切りされた各区画のほぼ中央に位置するように上記遮蔽シートに取り付けられていることを特徴とする請求項４に記載の簡易遮蔽装置。
【請求項６】
上記各ガイドレールの一部には、上記補強ロッドの直径よりも大きな幅を有する補強ロッド挿通部が形成されていることを特徴とする請求項４に記載の簡易遮蔽装置。
【請求項７】
請求項１ないし６のいずれか１項に記載の簡易遮蔽装置を備えたことを特徴とするキャビネット。
【発明の詳細な説明】
【技術分野】
【０００１】
本発明は、キャビネット内に収納された収納物を取り出せないようにするための簡易遮蔽装置および同簡易遮蔽措置を備えたキャビネットに関し、さらに詳しく言えば、既製のキャビネットに対して簡単に後付けすることができる簡易遮蔽装置に関する。
【背景技術】
【０００２】
個人情報保護法の制定によって、各種企業や団体などは保有する顧客データ（または個人データ）の流出防止に努めなくてはならない。一般に、これら顧客データは、コンピュータの記録媒体内にデジタルデータとして格納されており、コンピュータにパスワードやアクセス権を設けて、顧客データの出入が厳しく管理されている。
【０００３】
しかしながら、顧客データの一部を紙やＣＤ−ＲＯＭなどの物理媒体に出力して使用することも考えられる。そのような場合において、顧客データは、例えば一括でファイリングされたのち、キャビネットなどに保管しておき、ファイルの出入管理を行うなどして管理されていた。
【０００４】
しかしながら、キャビネットから顧客ファイルが勝手に持ち出されたり、盗み出されるおそれがある。そこで、このような問題が起こらないようにするため、キャビネットの開口部にシャッター装置を備えた専用キャビネットが提供されている（例えば特許文献１参照）。
【０００５】
このキャビネット用シャッター装置は、キャビネットの上部にシャッター巻き上げ機構を有し、キャビネットの開口部をシャッターで覆い隠すことにより、キャビネット内に保管されている収納物が取り出せないようにしている。
【０００６】
しかしながら、このキャビネット用シャッター装置によれば、既存のキャビネットに後付けすることで簡単に防犯機能を付加できるが、金属製シャッターであること、また、その駆動手段としてモータを含むシャッター巻き上げ機構を必要とすることから、製作コストが高くなることは否めない。
【０００７】
また、このキャビネット用シャッター装置は、モータを含むシャッター巻き上げ機構をキャビネットの上部に設置する必要があるため、キャビネットと天井との間のスペースにある程度の余裕がないと設置することができないという問題もあった。
【０００８】
【特許文献１】実用新案登録第３１１３９６７号公報
【発明の開示】
【発明が解決しようとする課題】
【０００９】
そこで、本発明は上述した課題を解決するため、既存のキャビネットに簡単に後付けすることができる簡易遮蔽装置をより安価に提供することにある。
【課題を解決するための手段】
【００１０】
上述した目的を達成するため、本発明は以下に示すいくつかの特徴を備えている。請求項１に記載の発明は、左右一対の側板と、上記各側板の上端側に架け渡される天板と、上記各側板の下端側に架け渡される底板とを有するキャビネットの前面開口部を覆い隠して、収納物の取り出しを規制する簡易遮蔽装置において、上記各側板に取り付けられ、上記前面開口部に沿ってガイド溝を形成する一対のガイドレールと、上記前面開口部とほぼ同じ大きさのシート体からなり、上記前面開口部の全面を覆い隠して、上記収納物を外部から遮蔽する遮蔽シートとを含み、上記遮蔽シートには、上記各ガイドレールの上端間で上記遮蔽シートの上端を吊り持ちするハンガー手段と、上記底板との間で上記遮蔽シートの下端の移動を規制するロック手段とが設けられていることを特徴としている。
【００１１】
請求項２に記載の発明は、上記請求項１において、上記ハンガー手段は、上記ガイドレール間のレール間距離よりも長い長さを有し、上記遮蔽シートの上端に一体的に取り付けられたハンガーロッドからなり、上記各ガイドレールの上端には、上記ハンガーロッドの端部が係止される係止部が設けられていることを特徴としている。
【００１２】
請求項３に記載の発明は、上記請求項２において、上記係止部は、上記各ガイドレールの上端から下側に向かって切り欠かれた係止溝からなることを特徴としている。
【００１３】
請求項４に記載の発明は、上記請求項１ないし４のいずれか１項において、上記遮蔽シートには、上記遮蔽シートを補強するための補強ロッドが上記ハンガーロッドに沿って平行に設けられており、上記補強ロッドは、その両端が上記ガイド溝内に摺動可能に収納されていることを特徴としている。
【００１４】
請求項５に記載の発明は、上記請求項５において、上記キャビネットは、内部が複数枚の棚板によって間仕切りされており、上記補強ロッドは、間仕切りされた各区画のほぼ中央に位置するように上記遮蔽シートに取り付けられていることを特徴としている。
【００１５】
請求項６に記載の発明は、上記請求項４のいずれか１項に記載において、上記各ガイドレールの一部には、上記補強ロッドの直径よりも大きな幅を有する補強ロッド挿通部が形成されていることを特徴としている。
【００１６】
本発明には、これら簡易遮蔽装置を備えたキャビネットも含まれる。すなわち、左右一対の側板と、各側板の上端側および下端側に架け渡される天板と底板とを有するキャビネットにあらかじめ簡易遮蔽装置を取り付けてもよい。
【発明の効果】
【００１７】
請求項１に記載の発明によれば、側板に取り付けられたガイドレールに沿って遮蔽シートを吊り持ちした状態で保持したのち、下端側をロック手段でロックすることにより、簡単にキャビネットの前面開口部を塞ぐことができる。
【００１８】
請求項２および３に記載の発明によれば、ハンガー手段として、遮蔽シートの上端に取り付けられたハンガーロッドをガイドレールの上端に設けられた係止溝に引っ掛けることにより、簡単かつ確実に遮蔽シートを吊り持ちできる。
【００１９】
請求項４に記載の発明によれば、遮蔽シートに所定間隔で補強ロッドを設けたことにより、軽く柔軟なシート材を遮蔽シートとしてに用いても、キャビネットを確実に遮蔽することができる。
【００２０】
請求項５に記載の発明によれば、遮蔽ロッドを間仕切りされた各区画のほぼ中央に位置するように配置したことにより、棚板に乗せられた収納部が衝撃などによって外に飛び出したりすることを防止することができる。
【００２１】
請求項６に記載の発明によれば、各ガイドレールの一部に補強ロッドの直径よりも大きな幅を有する補強ロッド開口部が形成されていることにより、例えばガイドレールのほぼ中央に補強ロッド開口部を設け、そこから遮蔽シートの補強ロッドをガイド溝内に挿通させることにより、無理な体勢を強いることなく、より簡単に遮蔽シートを取り付けることができる。
【００２２】
請求項７に記載の発明によれば、この簡易遮蔽装置をあらかじめキャビネットに組み込むことにより、安価な費用で防犯機能付きキャビネットを得ることができる。
【発明を実施するための最良の形態】
【００２３】
次に、本発明の実施形態について図面を参照しながら説明する。図１は、本発明の一実施形態に係る簡易遮蔽装置付きキャビネットの斜視図であり、図２（ａ）〜（ｄ）は、その正面図、平面図、底面図および左側面図である。
【００２４】
図１に示すように、この簡易遮蔽装置付きキャビネット１は、キャビネット本体１０と、同キャビネット本体１０の前面開口部に１０ａ沿って取り付けられる簡易遮蔽装置２０とを備えている。この例において、キャビネット本体１０はスチール製である。
【００２５】
キャビネット本体１０は、左右一対の側板１１，１１と、同側板１１，１１の上端側に架け渡される天板１２と、側板１１，１１の下端側に架け渡される底板１３とを有する箱形を呈し、内部が複数枚の棚板１４によって多段に区画されている。この例において、棚板１４は等間隔で４枚設けられており、キャビネット本体１０内が５段に区画されている。
【００２６】
本発明において、キャビネット本体１０の具体的構成は任意であってよく、左右一対の側板１１と、天板１２および底板１３を備えた構成であれば、基本的に簡易遮蔽装置２０を取り付けることができる。
【００２７】
図３および図４（ａ），（ｂ）を併せて参照して、この簡易遮蔽装置２０は、キャビネット本体１０の前面開口部１０ａ側で各側板１１の前端面（図２（ａ）では紙面手前側）に取り付けられる一対のガイドレール３０，３０と、同ガイドレール３０，３０の間に設けられる遮蔽シート４０とを備えている。
【００２８】
ガイドレール３０，３０はともに同一構成であるため、一方のみについて説明する。ガイドレール３０は、好ましくは金属製の頑丈なフレームからなり、短尺な２本のガイドレールメンバ３１，３１を直線状に配置して１本の長尺なレール状に形成されている。ガイドレール３０は、合成樹脂製であってもよい。
【００２９】
この例において、ガイドレール３０は、一般的なキャビネットの寸法規格に合わせて長さが１８００ｍｍであり、９００ｍｍのガイドレールメンバ３１，３１を２本連結することによって寸法規格になるように設計されている。
【００３０】
なお、この例ではガイドレール３０は、商品の梱包や発送などを考慮して、２本のガイドレールメンバ３１，３１を直列に連結して構成されるが、１本のガイドレールであってもよく、さらには２本以上に分割されてもよい。
【００３１】
図４（ａ）に示すように、ガイドレール３０は断面ほぼコ字型であって、遮蔽シート４０の側端を案内するためのガイド溝３２を備えている。ガイド溝３２は、少なくとも後述する遮蔽シート４０の補強ロッド４２の端部が挿通可能な幅および深さを有し、このガイド溝３２に沿って補強ロッド４２が上下に移動できるようになっている。
【００３２】
この例において、ガイドレール３０は断面コ字状に形成されているが、これ以外に、図４（ｂ）に示すように、断面Ｌ字型のガイドレール３０を用いてもよい。すなわち、Ｌ字型のガイドレール３０を側板１１の側面に沿って貼り付けることでも、側板１１の前端面とガイドレール３０との間にガイド溝３２を形成することができる。このような態様も本発明に含まれる。
【００３３】
図５に示すように、ガイドレール３０の上端には、後述する遮蔽シート４０の上端に取り付けられるハンガーロッド４１の端部が係止される係止溝３３が設けられている。係止溝３３は、ガイドレール３０の上端から下側に向かってＵ字状に切り欠かれた切欠溝からなり、この係止溝３３に沿って吊下用のハンガーロッド４１が引っ掛けられることにより、遮蔽シート４０がキャビネット本体１０の前面開口部１０ａを覆った状態で吊り持ちされる。
【００３４】
これらガイドレール３０は、図４（ａ），（ｂ）に示すように、側板１１に対して強粘着性の両面粘着テープ３４を介して固定することができる。この種の強粘着性の両面粘着テープ３４には、例えばアクリル系強粘着材が用いられた例えば日東電工社製の商品名「ハイパージョイント」や金属接着用発泡基材の両面粘着テープを例示することができる。また、両面粘着テープに代えて、ネジ止めなどの固定方法が用いられてもよい。
【００３５】
再び図３を参照し、遮蔽シート４０は柔軟で屈曲可能なシート体からなり、少なくともキャビネット本体１０の前面開口部１０ａの全面を覆い隠すことが可能であり、かつ、その側端部が常にガイドレール３０，３０のガイド溝３２内に収まる大きさを備えている。遮蔽シート４０には、ナイフなどによって切り裂かれにくい防弾チョッキや防刃チョッキなどに用いられるナイロン強化繊維シートが好ましく採用される。
【００３６】
遮蔽シート４０の上端には、上述したガイドレール３０，３０に架け渡される吊下用のハンガーロッド４１が設けられており、遮蔽シート４０には、ハンガーロッド４１に対して平行に補強ロッド４２が所定間隔で複数本、この例では６本設けられている。
【００３７】
ハンガーロッド４１は、金属製（好ましくはアルミ製）の頑丈なパイプからなり、図６（ａ）に示すように、その両端にはパイプ径よりも大径なエンドキャップ４３，４３が設けられている。なお、ハンガーロッド４１は合成樹脂製であってもよい。
【００３８】
吊下用ハンガーロッド４１は、両端のエンドキャップ４３，４３を含めて、その全長がガイドレール３０，３０の幅（レール間距離）よりも長く形成されている。したがって、遮蔽シート４０がガイドレール３０，３０の間で吊り持ちされる。
【００３９】
エンドキャップ４３，４３はさらに、ガイドレール３０の係止溝３３の直径よりも大径に形成されている。これによれば、図７（ａ），（ｂ）に示すように、エンドキャップ４３が係止溝３３の側端に引っ掛かることで、吊下用ハンガーロッド４１が軸方向（図２（ａ）では左右方向）に移動して、ガイドレール３０が脱落をすることを防止できる。
【００４０】
図６（ｂ）および図７を併せて参照して、補強ロッド４２は、上記吊下用ハンガーロッド４１と同じ金属パイプ製（合成樹脂製でもよい）で、ガイドレール３０，３０のガイド溝３２内に収まる長さを有し、その両端にはパイプ径よりも大径なエンドキャップ４４が一体的に取り付けられている。なお、各補強ロッド４２の構成は同じである。
【００４１】
この例において、エンドキャップ４４は、あくまで遮蔽シート４０がガイド溝３２内で上下に移動しやすくするための案内役として用いられている。さらには、補強ロッド４２がガイドレール３０，３０の間に架け渡されることにより、遮蔽シート４０がガイドレール３０，３０のガイド溝３２内から抜け落ちないようになっている。
【００４２】
図２（ａ）を併せて参照し、各補強ロッド４２は、キャビネット本体１０の棚板１４によって仕切られた各空間のほぼ中央に配置されていることが好ましい。これによれば、棚板１４に載置されたファイルＦなどが衝撃などによって表側に飛び出してきても、補強ロッド４２によってガードされるため、遮蔽シート４０を取り外した拍子にファイルＦが棚から落ちたりすることがない。
【００４３】
この例において、遮蔽シート４０は、２枚のシート材を重ね合わせ、その周縁が縫着されることで、１枚のシート体に形成されているが、これ以外に１枚のシート体であってもよい。さらには、シート体の間に防火性織布などをさらに介在させてもよく、遮蔽シート４０の材質や構成は、仕様に応じて任意に変更可能である。
【００４４】
さらに、吊下用ハンガーロッド４１および補強ロッド４２は、２枚の布材を重ね合わせた状態で、その一部を縫着することによって形成される筒部に挿通されたのち、さらにネジ４６によってネジ止めによって遮蔽シート４０に一体的に固定されているが、ハンガーロッド４１および補強ロッド４２の固定方法は、仕様に応じて任意に変更可能である。
【００４５】
遮蔽シート４０の下端には、遮蔽シート４０をキャビネット本体１０に固定するための固定板４５が一体的に取り付けられている。固定板４５は、遮蔽シート４０の下端を挟むようにして取り付けられる金属板からなり、この例では図示しないネジ止めによって遮蔽シート４０に固定されている。
【００４６】
図８を併せて参照して、固定板４５の中央には、ロック手段５０の一方としてのフック金具５１が設けられている。フック金具５１は金属の成型品からなり、その一部には後述するロック金具５２によって係止される係止爪５３が一体的に設けられている。
【００４７】
キャビネット本体１０の底部前面には、上記フック金具５１を係止するためのロック手段５０の他方としての係止金具５２が設けられている。係止金具５２は、ベース板５４と、同ベース板５４に一体的に取り付けられる係止具本体５５とからなる。
【００４８】
ベース板５４は１枚の矩形状に形成された金属片からなり、強粘着両面テープ５６を介してキャビネット本体１０の底部前面のほぼ中央に固定されている。なお、ベース板５４の固定方法については、両面粘着テープ以外にネジ止めなどによって固定してもよい。
【００４９】
この例において、ベース板５４は、仮に遮蔽シート４０が強引に引き剥がされそうになった場合、ベース板５４に係る応力を分散させるため、係止具本体５５よりも幅広に形成されていることが好ましく、この例では、係止具本体５５の幅に対して約４〜５倍の大きさを備えている。
【００５０】
係止具本体５５は、内部に図示しないロック機構を備え、上部中央には、フック金具５１の係止爪５３が差し込まれる差込孔５７と、ロック機構に施錠および解錠用の鍵が差し込まれる鍵穴５８と、係止爪５３を解錠するためのリリースレバー５９とを備えている。
【００５１】
この例において、係止具本体５５は機械的なロック機構を採用しているが、これ以外に、係止爪を引っかけて南京錠などによって施錠する単純なロック手段が用いられていてもよく、遮蔽シート４０をキャビネット本体１０に固定することができれば、仕様に応じて任意に選択可能である。
【００５２】
次に、この簡易遮蔽装置２０の取付および使用手順の一例を説明する。なお、キャビネット本体１０はあらかじめ組み立てられているものとする。図２（ａ）に示すように、簡易遮蔽装置２０をキャビネット本体１０に取り付けるに当たっては、まず、家庭用洗剤などを染みこませた雑巾などによって側板１１，１１の前端面（粘着テープ３４の貼着面）を拭き取り、油脂分を除去する。
【００５３】
側板１１，１１に付着した水分を十分乾燥させたのち、あらかじめガイドレールメンバ３１の図示しない被貼着面に貼り付けられた両面粘着テープ３４の図示しない剥離シートを剥がし取り、粘着面に沿って一方のガイドレールメンバ３１を側板１１，１１に固定する。
【００５４】
同様に、他方のガイドレールメンバ３１の剥離シートを剥がし取り、先に貼り付けられたガイドレールメンバ３１に沿って直列に配置して貼り付ける。これにより、ガイドレール３１が形成される。
【００５５】
なお、この例では、ガイドレールメンバ３１側にあらかじめ両面粘着テープ３４を貼り付けているが、両面粘着テープ３４を別に梱包して、先に両面粘着テープ３４を側板１１，１１に貼着して、そこにガイドレールメンバー３１を貼り付けてもよいことは言うまでもない。
【００５６】
次に、遮蔽シート４０をガイドレール３０，３０に沿って取り付ける。まず、遮蔽シート４０を下端をガイドレール３０，３０のガイド溝３２の上端開口部から差し入れ、補強ロッド４２を順に徐々に降ろして行き、最後にハンガーロッド４１をガイドレール３０の係止溝３３に引っ掛ける。
【００５７】
これにより、遮蔽シート４０がガイドレール３０に吊り持ち保持される。次に、吊り持ちされた状態の遮蔽シート４０の下端に取り付けられたフック金具５１に、係止金具５２を仮止めし、係止金具５２のベース板５４をキャビネット本体１０に取り付ける位置を位置決めする。
【００５８】
ベース板５４の位置を仮決めしたのち、あらかじめ脱脂処理されたキャビネット本体１０の底部前面中央に両面粘着テープ５６を介してベース板５４を貼り付けることで、キャビネット本体１０に係止金具５２が固定される。
【００５９】
最後に、図９に示すように、フック金具５１の係止爪５３を係止金具５２の差込孔５７に差し込んで係止したのち、鍵穴５８に付属の図示しない鍵を差し込んで鍵をかけることにより、遮蔽シート４０がガイドレール３０，３０に沿って固定され、キャビネット本体１０の前面開口部１０ａを覆い隠すことができる。
【００６０】
ロックを解錠するに当たっては、鍵穴５８に鍵を差し込んで解錠したのち、リリースレバー５９を下側にスライドさせることにより、係止爪５３のロックが解除され、差込孔５７から取り出すことが可能となる。
【００６１】
この例において、図２（ａ）に示すように、各ガイドレール３０は２本のガイドレールメンバ３１，３１を継ぎ目なく密着させた状態で直列に繋ぎ合わせいるため、ガイドレール３０の上部のガイド溝３２から遮蔽シート４０を送り込まなくてはならない。したがって、身長の低い女性などが遮蔽シート４０を取り付けるには、多少面倒である。
【００６２】
そこで、そのような場合を考慮して、図１０に示すように、各ガイドレールメンバ３１，３１の継ぎ目の間に間隙Ｇを設けてガイドレール３０を形成することが好ましい。間隙Ｇは、少なくとも遮蔽シート４０の補強ロッド４２を挿通可能な大きさに設けられていればよい。
【００６３】
これによれば、間隙Ｇから補強ロッド４２をガイドレール３０のガイド溝３２内に差し込んで上に送り出してゆき、半分を下側に送り込むことで、背の低い人であっても無理な体勢を強いることなく、簡単に遮蔽シート４０を取り付けることができる。このような態様も本発明に含まれる。
【００６４】
この例では、２本のガイドレールメンバ３１，３１の継ぎ目に間隙部Ｇを設けているが、例えば３本のガイドレールメンバ３１で構成した場合、それぞれの継ぎ目に間隙部Ｇを設けてもよい。さらには、１本のガイドレール３０に継ぎ目Ｇとなるノッチを設けて、そこから補強ロッド４２を差し込むようにしてもよい。
【００６５】
この実施形態では、一方の面が前面開口部１０ａとされ、他方の面は壁面などによって塞がれているキャビネット本体１０を例にとって説明したが、キャビネット本体１０の両面を前面開口部１０ａとして用いる場合もある、そのような場合は、両面に本発明の簡易遮蔽装置２０を取り付けることが好ましく、このような態様も本発明に含まれる。
【００６６】
以上の説明において、キャビネット本体１０は、一般的な本やファイルなどを格納するためのキャビネットを例にとって説明したが、キャビネット本体１０の大きさや容積および用途は仕様に応じて任意に変更可能であり、側板にガイドレールを取付可能な構造を備えていれば、例えば商品陳列棚やＣＤラックなどに本発明の簡易遮蔽装置を適用することも可能である。
【図面の簡単な説明】
【００６７】
【図１】本発明の一実施形態に係る簡易遮蔽装置が取り付けられたキャビネット本体の斜視図。
【図２】上記キャビネット本体の（ａ）正面図、（ｂ）平面図、（ｃ）底面図および（ｄ）側面図。
【図３】簡易遮蔽装置の分解斜視図。
【図４】（ａ）ガイドレールの要部断面図、（ｂ）ガイドレールの変形例を示す要部断面図。
【図５】ガイドレールの上端側を拡大した部分拡大図。
【図６】（ａ）遮蔽シートの上端側の部分拡大図、（ｂ）遮蔽シートの下端側の部分拡大図。
【図７】（ａ）遮蔽シートの上端側部分を拡大した側面透視図、（ｂ）遮蔽シートの上端部分を拡大した正面透視図。
【図８】ロック手段の構成を説明するための分解斜視図。
【図９】ロック手段の構成を説明するための側面透視図。
【図１０】ガイドレールの別の取付形態を説明するための説明図。
【符号の説明】
【００６８】
１０  キャビネット本体
１１，１１  側板
１２  天板
１３  底板
１４  棚板
２０  簡易遮蔽装置
３０  ガイドレール
４０  遮蔽シート
４１  ハンガーロッド
４２  補強ロッド
５０  ロック手段
５１  フック金具
５２  係止金具
【図１】
2008150847.tif 000003
【図２】
2008150847.tif 000004
【図３】
2008150847.tif 000005
【図４】
2008150847.tif 000006
【図５】
2008150847.tif 000007
【図６】
2008150847.tif 000008
【図７】
2008150847.tif 000009
【図８】
2008150847.tif 000010
【図９】
2008150847.tif 000011
【図１０】
2008150847.tif 000012